(57)【要約】【課題】            開閉体の近くの光が僅かだったり無かったりした場合でも、通行者等に対し表示部を容易に目視させることができる開閉装置を提供する。【解決手段】        目視可能な情報を表示する表示部４１，４２，４３，４４，４５を一体的に具備して開閉体１０を構成し、該開閉体１０を開閉動作させて空間を仕切ったり開放したりするようにした開閉装置において、前記表示部４１，４２，４３，４４，４５を、電力供給されて発光するシート状発光体により構成した。【選択図】          図１
2005139775.tif 000002
【特許請求の範囲】
【請求項１】
目視可能な情報を表示する表示部を一体的に具備して開閉体を構成し、該開閉体を開閉動作させて空間を仕切ったり開放したりするようにした開閉装置において、
前記表示部は、電力供給されて発光するシート状発光体からなることを特徴とする開閉装置。
【請求項２】
上記開閉体を巻き取ったり巻き戻したりする巻取り装置を備え、
上記表示部を、可撓性の上記シート状発光体から構成していることを特徴とする請求項１記載の開閉装置。
【請求項３】
上記表示部への電気配線を、開閉体開閉方向に対し傾斜させて、上記開閉体の面に沿わせたことを特徴とする請求項２記載の開閉装置。
【請求項４】
上記開閉体は、通過物が通過可能な通過口を備え、
上記表示部は、前記通過口の通過方法を表示していることを特徴とする請求項１乃至３何れか１項記載の開閉装置。
【請求項５】
上記開閉体の全閉時のみ、上記表示部を発光させるようにしたことを特徴とする請求項１乃至４何れか１項記載の開閉装置。
【請求項６】
上記開閉体は、上記通過口を開閉する扉部材を備えるとともに、上記表示部を前記扉部材以外の部位に配置していることを特徴とする請求項１乃至５何れか１項記載の開閉装置。
【発明の詳細な説明】
【技術分野】
【０００１】
本発明は、オーバーヘッドドアを含むシャッター装置や、ロールスクリーン装置等の開閉装置であって、目視可能な情報を開閉体に表示可能な開閉装置に関し、特に、シート状の開閉体により空間を仕切ったり開放したり等するスクリーンシャッター装置として好適な開閉装置に関するものである。
【背景技術】
【０００２】
従来、この種の発明には、特許文献１に記載されたもののように、複数枚の難燃性耐火シートを並設して開閉体（難燃性耐火シート体）を構成し、この開閉体の開閉動作により空間を仕切ったり開放したりするようにした耐火スクリーン装置がある。
この耐火スクリーン装置は、前記開閉体を、幅方向に並設された複数枚の難燃性耐火シートから構成しており、これら複数枚の難燃性耐火シートの少なくとも一部が、開閉体厚さ方向の一方に押し動かされ開放されて、非常口となるようにしている。
そして、非常口となる前記難燃性耐火シートには、その進入側の面に、「非常口」という文字の非常口表示が設けられ、その裏面には、逆方向からの無理な開放を防ぐための侵入禁止表示（図形）が設けられている。
また、他の従来技術としては、特許文献２に記載されたもののように、開閉動作可能な開閉体（難燃性耐火シート体）の表面に、火災熱の感熱により発色する火災表示体を設けた耐火スクリーン装置がある。
【０００３】
しかしながら、上記双方の従来技術によれば、例えば災害時の停電等により、開閉体の近くの光が僅かだったり無かったりした場合、上記非常口表示や、上記侵入禁止表示、上記火災表示体等の表示部が目視不能になってしまうおそれがある。
【特許文献１】特開平１０−２１１２９５号公報
【特許文献２】特開平１０−２３４８７８号公報
【発明の開示】
【発明が解決しようとする課題】
【０００４】
本発明は上記従来事情に鑑みてなされたものであり、その課題とする処は、開閉体の近くの光が僅かだったり無かったりした場合でも、通行者等に対し表示部を容易に目視させることができる開閉装置を提供することにある。
【課題を解決するための手段】
【０００５】
上記課題を解決するために第一の発明は、目視可能な情報を表示する表示部を一体的に具備して開閉体を構成し、該開閉体を開閉動作させて空間を仕切ったり開放したりするようにした開閉装置において、前記表示部は、電力供給されて発光するシート状発光体からなることを特徴とする。
【０００６】
ここで、本発明に係わる開閉装置には、開閉体が開動作のみを行うように用いられる態様や、開閉体が閉動作のみを行うように用いられる態様、開閉体が開動作と閉動作との双方を行うように用いられる態様等を含む。
【０００７】
なお、本明細書中において「開閉体厚さ方向」とは、閉鎖状態の上記開閉体の厚さ方向を意味する。
また、本明細書中において「開閉体開閉方向」とは、上記開閉体が開閉動作する方向であって、開閉体の幅方向や厚さ方向でない方向を意味する。
また、本明細書中において「開閉体幅方向」とは、上記開閉体の開閉方向と略直交する方向であって、上記開閉体の厚さ方向ではない方向を意味する。
【０００８】
上記開閉体の具体例としては、複数のスラットやパイプを開閉方向へ連設してなる態様や、パネルや、シート状物、ネット状物を開閉方向へ単数もしくは複数連設してなる態様、あるいはスラット、パネル、パイプ、シート状物、ネット状物等を適宜に組み合わせてなる態様等が挙げられる。
【０００９】
また、上記表示部は、電力供給されて発光するシート状発光体からなり、目視可能な情報を表示するように構成されていればよい。
前記シート状発光体の好ましい具体例としては、エレクトロミネッセンス素子に電流を流して発光させるようにした発光体であって、且つフィルム状や板状等を含むシート状に構成された発光体等が挙げられる。なお、前記発光体は、当業者間ではＥＬフィルム、ＥＬパネル、ＥＬシート等と呼称される場合がある。
また、上記「目視可能な情報を表示する」という構成の具体例としては、上記開閉体に設けられる通過口の通過方法を表示する態様や、火災等の災害が発生したことを表示する態様、広告を表示する態様、例えば通行者等が開閉体の通過口を通過する際の方向（一方向のみの場合や双方向の場合を含む。）や、通行者等が開閉体幅方向に略平行する左右方向（左方向または右方向のみの場合や左右両方向の場合を含む。）へ通過する際の方向等、通行者等に対する通行方向を表示する態様等が挙げられる。
また、上記表示部は、上記通過口の近傍（例えば上記通過口を開閉する扉部材や、上記開閉体における上記通過口の周囲等）に配置されるのが好ましい。すなわち、上記通過口は特に視認され易く目立った構成であるため、この通過口の近傍に上記表示部を配置することで、上記表示部に対する視認性を向上することができる。
【００１０】
また、第二の発明では、上記開閉体を巻き取ったり巻き戻したりする巻取り装置を備え、上記表示部を、可撓性の上記シート状発光体から構成していることを特徴とする。
【００１１】
ここで、この第二の発明に係わる開閉体は、巻取装置によって巻き取り可能な態様とされ、その具体例には、複数のスラットやパネル、パイプを開閉方向へ連設してなる態様や、シート状物やネット状物からなる態様、あるいはスラット、パネル、パイプ、シート状物、ネット状物等を適宜に組み合わせてなる態様等が挙げられ、これらから構成される可撓性を有した開閉体とされる。
また、この第二の発明に係わるシート状発光体とは、例えば、上記エレクトロミネッセンス素子を発光させるようにした発光体を、可撓性シート状に構成したものである。
【００１２】
また、第三の発明では、上記表示部への電気配線を、開閉体開閉方向に対し傾斜させて、上記開閉体の面に沿わせたことを特徴とする。
【００１３】
ここで、上記電気配線とは、上記表示部へ電力を供給するための単数もしくは複数の配線である。
この電気配線には、開閉体幅方向の略全長にわたる範囲に、開閉体開閉方向に対し傾斜して設けられた態様と、開閉体幅方向の一部分にわたる範囲に、開閉体開閉方向に対し傾斜して設けられた態様との双方を含むが、開閉体の巻径が幅方向において部分的に偏って大きくなったり、開閉体が幅方向にわたって略同一径方向へ偏心して巻かれてしまったり等するのを、開閉体幅方向の略全長にわたって防ぐためには、前者の態様とするのが好ましい。
【００１４】
また、第四の発明では、上記開閉体は、通過物が通過可能な通過口を備え、上記表示部は、前記通過口の通過方法を表示していることを特徴とする。
【００１５】
ここで、上記通過口とは、上記開閉体を貫通し通過物が通過可能な開口部であり、人や物、車椅子や、ストレッチャー、自転車などの通過物が通過可能な大きさに形成される。
また、この通過口には、予め所定の開口面積をもって設けられた態様や、通過物の通過の際に開口した部分が通過口となる態様等を含む。
すなわち、後者の態様の具体例としては、上記開閉体をシート状物から構成し、そのシート状物に切り込み部（スリット）を形成し、該切り込み部が通過物の通過の際に開口して通過口となるようにした態様や、前記シート状物に略上下方向の切り込み部と、該切り込み部の下端側に連続する略左右方向の切り込み部とを設け、これら両切り込み部に沿う部位が通過物の通過により開口されて略三角形状の通過口となるようにした態様等が挙げられる。
また、上記通過口を、前記具体例のように切り込み部に沿う部位の開放によって構成されるようにした場合、その切り込み部に重ね合わせるようにして、扉部材を設けることで、閉鎖性を向上するようにしてもよい。
なお、上記通過口には、扉部材により開閉可能にされた態様と、扉部材を備えない開口部のみの態様との双方を含むが、上記開閉体内外の気密性を向上する観点より前者の態様の方が好ましい。
【００１６】
また、第五の発明では、上記開閉体の全閉時のみ、上記表示部を発光させるようにしたことを特徴とする。
【００１７】
なお、上記開閉体の全閉時のみ上記表示部を発光させる手段は、例えば、上記開閉体が閉鎖状態にあることを、リミットスイッチ等の接触式感知スイッチや、近接スイッチ等の非接触式感知スイッチ、巻取装置側で上記開閉体の巻取り回数をカウントするカウンター等によって検知し、その検知信号に応じて上記表示部を発光させる構成とすればよい。
【００１８】
また、第六の発明では、上記開閉体は、上記通過口を開閉する扉部材を備えるとともに、上記表示部を前記扉部材以外の部位に配置していることを特徴とする。
【００１９】
ここで、上記扉部材は、上記通過口を開放したり閉鎖したりするように、上記開閉体に一体的に設けられた部材とされる。
この扉部材は、上記開閉体の表裏両面に設けられた態様と、一方の面に設けられた態様との何れであっても構わないが、特に閉鎖性を向上するためには、前者の態様が好ましい。
また、この扉部材および上記通過口は、開閉体幅方向に、単数設けられていてもよいし、複数設けられていてもよい。
そして、この扉部材は、軽量で生産性の良い具体例としては、可撓性のシート状物から形成され、吊り下げ状に固定されて、押す、引く、捲る等することで上記通過口を開放し、自重により上記通過口を閉鎖する態様とする。
この扉部材を可撓性のシート状物から形成した場合には、その上端部のみを固定して、左右の側辺部側と下端部側とが開放されるようにしてもよいし、上端部と一方の側辺部とを固定して、他方の側辺部側と下端部側とが開放されるようにしてもよいが、特に、閉鎖性及び開閉操作性を良好にするためには、少なくとも下端部側を自由端部とした態様が好ましく、勿論、前記下端部側以外に左右何れか一方または双方の端部側を自由端部とした態様も可能である。
【発明の効果】
【００２０】
本発明は、以上説明したように構成されているので、以下に記載されるような作用効果を奏する。
第一の発明によれば、表示部が電力供給されて自己発光するため、仮に開閉体の近くの光が僅かだったり無かったりした場合でも、通行者等に対し、表示部を容易に目視さることができる。その上、表示部がシート状であるため、開閉体の収納が容易である。
【００２１】
更に、第二の発明によれば、表示部が可撓性を有するため、例えば表示部を比較的広い面積に形成したとしても、巻取装置による開閉体の巻き取り動作及び繰り出し動作がスムーズである。しかも、表示部がシート状であるため、巻き重ねられる開閉体の巻径を比較的小さくすることができる。
【００２２】
更に、第三の発明によれば、開閉体が巻取装置によって巻き取られる際に、開閉体の巻径が幅方向において部分的に偏って大きくなったり、開閉体が幅方向にわたって略同一径方向へ偏心して巻かれてしまったり等するのを低減することができる。
すなわち、仮に電気配線が開閉体開閉方向にわたって設けられていた場合、巻き取られた開閉体は、電気配線を有する部位において他の部位よりも巻径が大きくなる。そして、この部位が巻き取り中に開閉体幅方向へ巻き崩れたり等すると、開閉体が幅方向へずれながら巻かれてしまい、更には、そのずれた開閉体の端部が巻取装置の軸受け部材等に接触してしまうおそれがある。しかしながら、本発明によれば、電気配線を開閉体開閉方向に対して傾斜させた範囲において、開閉体の巻径をその幅方向にわたって略均一にすることができるため、前記のような問題を低減することができる。
また、仮に電気配線が開閉体幅方向と略平行に設けられている場合（換言すれば電気配線が巻取装置の巻取り軸と略平行に設けられている場合）、電気配線に巻き重ねられる開閉体は、幅方向にわたって略同一径方向へ偏心して巻かれてしまう。そのため、その偏心により、開閉体が巻き取られたり繰り出されたりする際の振動や騒音等が大きくなったり、巻取装置の負荷が大きくなったり等するおそれがあるが、本発明によれば、開閉体の巻取りに伴って電気配線が略螺旋状に巻かれるため、前記のような幅方向にわたる略同一径方向の偏心を防ぎ、振動や騒音等を低減することができる。
【００２３】
更に、第四の発明によれば、仮に開閉体の近くの光が僅かだったり無かったりした場合でも、通過口を通り抜けようとする者に対し、その通過方法の指示を容易に目視させることができ、ひいては、火災時や停電時等の非常時における非難行動等をスムーズにすることができる。
【００２４】
更に、第五の発明によれば、表示部への電力を必要最小限に節減することができる。
【００２５】
更に、第六の発明によれば、表示部への電気配線を、扉部材の開閉動作に略無関係な簡素な構造とすることができる。
すなわち、仮に表示部を扉部材に配置した場合には、扉部材の開閉動作を可能にするために、電気配線の配置箇所や構造等が制約されてしまうが、本発明によれば、扉部材の開閉動作と略無関係に、簡素な構造の電気配線とすることができる。
【発明を実施するための最良の形態】
【００２６】
以下、本発明の実施の形態を図面に基づいて説明する。
本実施の形態による開閉装置の一例は、住宅やビル、倉庫、工場、地下街、トンネル、車両の荷台等の構築・構造物における開口部分や内部に配設され、前記開口部分を開閉したり、躯体内部の空間を仕切ったり開放したりする所謂シャッター装置、特に、火災などが発生した際に、煙の拡散や延焼を速やかに防止するのに好適なシート状の防火防煙シャッター装置として説明するが、前記以外の目的で利用することも可能であり、例えば、冷気等の流通を防止し、保温性の低下を極力抑える目的等のために、保冷庫などに配設されるシート状のシャッター装置としても利用可能である。
【００２７】
この開閉装置Ａは、空間を上下に仕切ったり開放したりする開閉体１０と、該開閉体１０をその左右両側で開閉方向へ導くガイドレール２０と、該開閉体１０を巻き取ったり巻き戻したりする巻取装置３０とを備えており、開閉体１０には、目視可能な情報を表示する表示部４１，４２，４３，４４，４５が一体的に設けられている（図１及び２参照）。
【００２８】
開閉体１０は、下端側に通過物を通過可能な通過口１１ａを有する開閉体本体１１と、通過口１１ａを開閉可能に閉鎖する扉部材１２と、開閉体本体１１の下端部に幅方向にわたって接続された座板部材１３とから一体的に構成されている。
【００２９】
開閉体本体１１は、例えば、ガラスクロスやシリカクロス等の難燃性布地や、フッ素加工を施した塩化ビニル樹脂シート材、ガラス繊維を含んだ合成樹脂シート材等、可撓性を有する耐火性のシート材からなる。
この開閉体本体１１は、開閉体幅方向に長い略矩形帯状のシート材を、上下方向に複数連接するように縫い付けてなる態様や、開閉体開閉方向に長い略矩形帯状のシート材を、左右方向に複数連接するように縫い付けてなる態様等、複数のシート材を縫い合わせた構成としてもよいし、一枚のシート材を略矩形状に裁断することで構成してもよい。
そして、この開閉体本体１１の下端側には、人や物等の通過物が通過可能な略矩形切欠状の通過口１１ａが形成されている。
【００３０】
なお、図中符号１１ｂは、開閉体厚さ方向へ突出してガイドレール２０内に係合することで、開閉体１０がガイドレール２０から抜けてしまうのを防止する抜止部１１ｂであり、開閉体本体１１における開閉体幅方向の両端側の各々に、開閉体開閉方向にわたって複数配設されている。
【００３１】
また、扉部材１２は、開閉体本体１１の表面側と裏面側との各々に具備された略矩形状のシート材である。
各扉部材１２は、開閉体本体１１と略同材質のシート材からなり、開閉体本体１１同様に、開閉体幅方向に長い略矩形帯状のシート材を、上下方向に複数連接するように縫い付けて構成してもよいし、一枚のシート材を矩形状に裁断することで構成してもよい。
また、各扉部材１２の下端側は縦断面袋状に形成され、その袋状部位には、該扉部材１２の自重による閉動作を補助するように、錘部材１２ａが幅方向にわたって内在されている。
そして、各扉部材１２は、その上端側が通過口１１ａの上端に沿うようにして開閉体本体１１に縫付け固定されるとともに、その固定部位以外の端部側が通過口１１ａの周囲の面に重ね合わせられることで、通過口１１ａを閉鎖している。
【００３２】
各扉部材１２の表面には、表示部４１，４２，４３，４４が配設され（図１参照）、また、各扉部材１２の裏面には、通過口１１ａの通過方法を表示する表示部４５（図２参照）が配設されている。
各表示部４１（４２，４３，４４，４５）は、電力供給されることで発光する可撓性のシート状発光体であり、より具体的には、有機エレクトロミネッセンス素子を用いた所謂ＥＬフィルムによって構成されている。
そして、各表示部４１（４２，４３，４４，４５）は、開閉体１０が巻取装置３０によって巻き取られた際に容易に剥がされてしまうことがないように、弾力性を有する接着剤（例えばゴム系接着剤等）によって扉部材１２の表面に接着されている。
なお、表側の表示部４１，４２，４３，４４は、一体のＥＬフィルムによって構成されていてもよいし、それぞれ別体のＥＬフィルムによって構成されていてもよい。
【００３３】
そして、これら表示部４１，４２，４３，４４，４５は、扉部材１２の使用目的や、扉部材１２を開放するための動作説明等を表示するように形成されている。
図示例によれば、表示部４１は、扉部材１２全体のおおよその大きさを通行者等に目視させるように、扉部材１２の周縁に沿う枠状に形成されている。
また、表示部４２は、各扉部材１２の表面における略中央近傍に配置され、扉部材１２の使用目的等を、文字（例えば「非常口」や「避難口」等）や、図等によって表示している。
また、表示部４３は、各扉部材１２の表面における左端部側と右端部側とのそれぞれに配置され、扉部材１２を表面側から引っ張るようにして開放する動作を、文字（例えば「引く」や「ＰＵＬＬ」等）や図（例えば扉部材１２の中央方向を向く矢印等）等によって表示している。
また、表示部４４は、各扉部材１２の表面における下端部側に配置され、扉部材１２を表面側から捲り上げて開放する動作を、文字（例えば「上げる」や「ＵＰ」等）や図（例えば上方向を向く矢印等）等によって表示している。
また、表示部４５は、各扉部材１２の裏面における略中央近傍に配置され（図２参照）、扉部材１２を裏面側から押すようにして開放する動作を、文字（例えば「押す」や「ＰＵＳＨ」等）や、図等によって表示している。
【００３４】
上記表示部４１，４２，４３，４４，４５によれば、通過口１１ａを通過しようとする通過者は、先ず扉部材１２表面の表示部４１，４２，４３，４４の指示に従って、一枚目の扉部材１２を表面側から開放する。そして、同通過者は、一枚目の扉部材１２を開放した直後に、二枚面の扉部材１２裏面の表示部４５を目視し、この表示部４５の指示に従って二枚目の扉部材１２を裏面側から押し開けることになる。
【００３５】
また、上記表示部４１，４２，４３，４４，４５には、電力を供給するための電気配線５１，５２が電気的に接続されている。
これら電気配線５１，５２は、開閉体開閉方向に対し傾斜させて、開閉体本体１１の表面と裏面との内の一方または双方の面に沿って止着されている。
詳細には、電気配線５１は、開閉体本体１１における扉部材１２よりも上方側部分に、開閉体幅方向の一方（図示例によれば左方向）へ傾斜するようにして止着されている。
また、電気配線５２は、開閉体本体１１における扉部材１２よりも上方側部分に、開閉体幅方向の他方（図示例によれば右方向）へ傾斜するようにして止着されている。
【００３６】
そして、これら電気配線５１，５２の負荷側は、扉部材１２の近傍で適宜に分配され、表示部４１，４２，４３，４４，４５へ電力を供給するように配線されている。
また、これら電気配線５１，５２の電源側は、巻取装置３０内の制御部（図示せず）から電力を供給されるように配線されている。
【００３７】
前記制御部は、開閉体１０の全閉状態を検出するセンサー（図示せず）からの検知信号を受けており、開閉体１０が全閉時のみ、電気配線５１及び電気配線５２に対し電力を供給するように回路構成されている。
また、本実施の形態のように表示部４１，４２，４３，４４，４５を上記ＥＬフィルムによって構成している場合、その電源は適宜の電圧及び周波数に調整された所定波形の電源とする必要があるため、この電源を得るための波形変換装置（例えばインバータ装置等）が前記制御部に電気接続されている。
そして、前記波形変換装置への供給電源は、巻取装置３０の電源等の商用電源とすることも可能であるが、災害等による停電の際であっても表示部４１，４２，４３，４４，４５を発光可能なように、バッテリー電源とするのが好ましい。
また、前記制御部は、前記波形変換装置及び電気配線５１，５２を介して、表示部４１，４２，４３，４４，４５を点灯させる回路構成とすればよいが、その表示を強調する等の目的のために、表示部４１，４２，４３，４４，４５の一部又は全部を点滅させる回路構成としてもよい。
【００３８】
また、座板部材１３は、開閉体１０における幅方向の略全長にわたって開閉体本体１１の下端に接続されることで、開閉体１０による閉鎖性を良好にするとともに、その自重により開閉体本体１１を幅方向の略全長にわたって下方へ引っ張って、開閉体本体１１の開閉方向及び幅方向の撓みや皺等を抑制する。
この座板部材１３は、例えば断面略逆Ｔ字状や断面略枠状等、開閉体幅方向において撓み難い断面形状に形成され、開閉体本体１１を下方へ引っ張る作用を向上させるように、内部に金属製等の錘部材を具備している。
【００３９】
また、各ガイドレール２０は、開閉体１０の開閉体幅方向の両側を断面略コ字状に囲む部材であり、開閉体１０を開閉方向へ案内している。
【００４０】
また、巻取装置３０は、巻取り軸３１を回動させるようにした機構であり、該巻取り軸３１によって開閉体１０を巻き取ったり巻き戻したりする。
なお、この巻取装置３０は、モータ等の電動駆動源により巻取り軸３１を回動させる機構や、スプリング等の付勢部材の付勢力により巻取り軸３１を回動させる機構、錘体や開閉体１０の自重により巻取り軸３１を回動させる機構、あるいはこれらの機構を組み合わせてなる機構等、何れの態様であってもよいが、災害等による停電の際でも、開閉体１０を閉鎖できるように、少なくとも開閉体１０を繰り出す際の動作が電動でない機構（例えば前記した付勢部材や、錘体、開閉体１０の自重を利用した機構）とするのが好ましい。
【００４１】
而して、上記開閉装置Ａによれば、開閉体１０が閉鎖されると、その閉鎖位置となった開閉体１０がセンサー（図示せず）により検出され、電気配線５１，５２等を介して、制御部側の電源（図示せず）から表示部４１，４２，４３，４４，４５に電力が供給される。
すると、表示部４１，４２，４３，４４，４５が発光するため、開閉体１０の近傍に他の光が無い場合や僅かな場合であっても、表示部４１，４２，４３，４４，４５を、通行者等に明瞭に視認させることができる。
また、開閉体１０が開放動作した際には、表示部４１，４２，４３，４４，４５への電源供給が制御部によって遮断されることで、表示部４１，４２，４３，４４，４５は発光しなくなる。
そして、前記開放動作の際、巻取り軸３１による開閉体１０の巻き取りに伴って、電気配線５１，５２が、巻取り軸３１の略全長にわたって略螺旋状に巻かれる。したがって、開閉体１０の巻径が幅方向において部分的に偏って大きくなったり、開閉体１０が幅方向にわたって略同一径方向へ偏心して巻かれてしまったり等することがなく、その巻取りの際や巻き戻しの際の振動及び騒音が比較的小さい。
【００４２】
なお、上記開閉装置Ａは、傾斜する電気配線５１，５２を開閉体幅方向の略全体にわたるように配設することで、上記したように巻取りの際や巻き戻しの際の振動及び騒音等を低減した好ましい一例であるが、双方の電気配線５１，５２を開閉体幅方向の一方側のみに設けた構成とすることも可能である。
また、電気配線５１，５２の内の一方を省き、一方の電気配線５１（又は５２）を扉部材１２の近傍で分配するようにしたり、電気配線５１，５２以外の電気配線を増設したり等することも可能である。
【００４３】
また、上記開閉装置Ａは、表示部４１，４２，４３，４３，４４を扉部材１２の表面に配置することで、これら表示部４１，４２，４３，４４の視認性や意匠性等を良好にした好ましい一例であるが、表示部４１，４２，４３，４４への電気配線５１，５２の配置や構造等が制限されないようにする観点からは、後述する開閉装置Ｂの態様としてもよい。
この開閉装置Ｂは、上述した開閉装置Ａにおける表示部４１，４２，４３，４３，４４を、扉部材１２以外の部位に配置し、また、電気配線５２，５３を、左右の表示部４３，４３の各々から座板部材１３内へ向かうように止着している（図４参照）。
【００４４】
詳細に説明すれば、表示部４１，４２，４３，４３，４４は、開閉体本体１１における通過口１１ａの周囲の部位であって、扉部材１２の近傍となる部位に配置されている。
また、各電気配線５２（又は５３）は、その負荷側を一方の表示部４３に接続するとともに、その電源側を、座板部材１３内の制御部（図示せず）に接続している。
座板部材１３内の前記制御部は、開閉体１０が閉鎖されたことを検知するセンサーや、該センサーからの信号に応じて表示部４１，４２，４３，４３，４４へ電力を供給する回路、インバータ等の波形変換装置、バッテリー等の電源等によって構成される。
【００４５】
この開閉装置Ｂによれば、扉部材１２の開閉動作を可能にするために電気配線５１，５２の配置箇所や構造等が制限されるようなことがない。
すなわち、例えば上述した開閉装置Ａによれば、電気配線５１，５２の負荷側は、扉部材１２の開閉動作を可能にするために、開閉体本体１１と止着された扉部材１２の上端側に接続する必要があるが、開閉装置Ｂでは、図示例のように、電気配線５１，電気配線５２を、表示部４３，４３と座板部材１３との間の比較的短い配線とすることができる。
更に、上述した開閉装置Ａによれば、表示部４１，４２，４３，４４によって扉部材１２の可撓性が損なわれ、扉部材１２の開閉操作性が低下してしまうおそれがあるが、開閉装置Ｂでは、表示部４１，４２，４３，４４が扉部材１２とは別体に具備されているため、扉部材１２が柔軟に撓み、その開閉操作性が良好である。
【００４６】
なお、前記開閉装置Ｂにおいては扉部材１２裏側の表示部４５を図示していないが、この表示部４５は、上記開閉装置Ａ同様に扉部材１２の裏側に配設され、表側から分配された電気配線（図示せず）により電力供給されるようにすればよい。
また、開閉装置Ａ及び開閉装置Ｂは、両扉部材１２，１２の裏側に、押し開け動作を指示する表示部４５，４５を設けることで、一方の扉部材１２を開放した通過者に対し、混乱することなく他方の扉部材１２を押し開けるように促す作用を奏するが、扉部材１２の可撓性を一層向上する観点より、両表示部４５，４５の内の一方又は双方を省いた態様とすることも可能である。
【００４７】
また、上記実施の形態によれば、表示部４１，４２，４３，４４，４５を発光させるための電源は、巻取装置３０や座板部材１３内に配置するようにしているが、ガイドレール２０内に配置され、該ガイドレール２０内の電源の電力をブラシや電磁誘導により開閉体１０側へ供給するようにした態様、開閉体本体１１や扉部材１２に止着された態様等とすることも可能である。
また、前記電源を開閉体１０下方の対向部位（地面や床面、枠部材等）に内在し、開閉体１０が閉鎖されて座板部材１３が前記対向部位に接触した際に、前記対向部位内の電源から表示部４１，４２，４３，４４，４５へ電力が供給されるようにしてもよい。
【図面の簡単な説明】
【００４８】
【図１】本発明に係わる開閉装置の一例を示す正面図。
【図２】同開閉装置の正面図であり、扉部材を捲り上げた状態を示す。
【図３】同開閉装置の断面図。
【図４】本発明に係わる開閉装置の一例を示す正面図。
【符号の説明】
【００４９】
１０：開閉体
１１：開閉体本体
１１ａ：通過口
１２：扉部材
３０：巻取装置
４１，４２，４３，４４，４５：表示部
５１，５２：電気配線
Ａ，Ｂ：開閉装置
【図１】
2005139775.tif 000003
【図２】
2005139775.tif 000004
【図３】
2005139775.tif 000005
【図４】
2005139775.tif 000006